(57)【要約】【課題】体液漏れが生じ難く、下着やアウターが汚れるのを防止する。【解決手段】本体部分の両側部にそれぞれ、相対的に非肌側に位置する下層フラップＦ１と、相対的に肌側に位置する上層フラップＦ２とからなる二重のフラップが形成され、下層フラップＦ１は、少なくとも、装着時に下着のクロッチ部分を巻き込むようにして固定されるウイング状フラップＷを含むとともに、前記上層フラップＦ２は、少なくとも、前記ウイング状フラップＷと重なる領域に、装着時に脚の付け根部分を覆うように配置される脚周り用フラップＸを含み、前記脚周り用フラップＦは、側端が前記ウイング状フラップＷの側端より外側に位置するとともに、生理用ナプキン１の略幅方向に沿う切り込み線９によって長手方向に複数に分割されている。【選択図】図１
2015024067.tif 000002
【特許請求の範囲】
【請求項１】
透液性表面シートと裏面シートとの間に吸収体が介在された本体部分の両側部にそれぞれ、相対的に非肌側に位置する下層フラップと、相対的に肌側に位置する上層フラップとからなる二重のフラップが形成された吸収性物品であって、
前記下層フラップは、少なくとも、装着時に下着のクロッチ部分を巻き込むようにして固定されるウイング状フラップを含むとともに、前記上層フラップは、少なくとも、前記ウイング状フラップと重なる領域に、装着時に脚の付け根部分を覆うように配置される脚周り用フラップを含み、
前記脚周り用フラップは、側端が前記ウイング状フラップの側端より外側に位置するとともに、吸収性物品の略幅方向に沿う切り込み線によって長手方向に複数に分割されていることを特徴とする吸収性物品。
【請求項２】
前記上層フラップの非肌側面に、装着時に衣服に固定するための粘着剤層が設けられている請求項１記載の吸収性物品。
【請求項３】
前記上層フラップは、個装状態で、前記透液性表面シート側に折り畳まれ、各粘着剤層を覆うとともに、左右の粘着剤層間に跨る剥離紙によって連結した状態で封入されている請求項２記載の吸収性物品。
【請求項４】
前記上層フラップの前記切り込み線と重ならない位置に、吸収性物品の長手方向に沿って連続する弾性伸縮部材が配設されている請求項１〜３いずれかに記載の吸収性物品。
【請求項５】
前記下層フラップは、前記ウイング状フラップより後側であって、装着時に下着の臀部内面側に固定されるヒップホールド用フラップを含み、
前記上層フラップは、前記ヒップホールド用フラップと重なる領域に、装着時に臀部周りを覆うように配置されるヒップ周り用フラップを含んでいる請求項１〜４いずれかに記載の吸収性物品。
【請求項６】
前記ヒップ周り用フラップとヒップホールド用フラップとの重なり部分において、両者が互いに接合されている請求項５記載の吸収性物品。
【請求項７】
前記ヒップ周り用フラップは、前記ヒップホールド用フラップより幅方向外側に延出するとともに、この延出した部分の形状が幅方向外側に向けて漸次幅狭となるように形成されている請求項５、６いずれかに記載の吸収性物品。
【請求項８】
前記切り込み線は、吸収性物品の長手方向に離間して２箇所以上設けられている請求項１〜７いずれかに記載の吸収性物品。
【請求項９】
前記上層フラップは、吸収性物品の長手方向に伸縮可能な伸縮性シートによって形成されている請求項１〜８いずれかに記載の吸収性物品。
【請求項１０】
前記裏面シートは、前記本体部分から前記上層フラップの幅方向端部にかけて連続的に配置されるか、前記本体部分及び前記下層フラップの非肌側面にのみ配置されている請求項１〜９いずれかに記載の吸収性物品。
【請求項１１】
前記吸収性物品は、前記本体部分の両側部にそれぞれ、前記裏面シートと表面材との二重シートを形成するとともに、前記二重シートを幅方向中間部の長手方向に沿う折り線で幅方向に折り畳んで前記二重シート同士の積層部分を形成し、この二重シート同士の積層部分で前記下層フラップを形成した後、これより先端部分の前記二重シートで前記上層フラップを形成している請求項１〜１０いずれかに記載の吸収性物品。
【発明の詳細な説明】
【技術分野】
【０００１】
本発明は、透液性表面シートと裏面シートとの間に吸収体が介在された本体部分の両側部に、下層フラップと上層フラップとからなる二重のフラップを備えた吸収性物品に関する。
【背景技術】
【０００２】
従来より、生理用ナプキン、パンティライナー、失禁パッドなどの吸収性物品Ｎとしては、例えば図９および図１０に示されるように、ポリエチレンシートまたはポリエチレンラミネート不織布などからなる不透液性裏面シート５０と、不織布または透孔性プラスチックシートなどからなる透液性表面シート５１との間に綿状パルプなどからなる吸収体５２を介在させたものが知られている。
【０００３】
この種の吸収性物品Ｎとしては、装着状態でのズレ止めを図るために、例えば非肌当接面側（外面）に１または複数条の粘着剤層５３，５３を形成し、かつナプキン本体の長手方向両側部に、外方に延在するウイング状フラップＷ、Ｗを一体的に形成するとともに、このウイング状フラップＷ、Ｗの不透液性裏面シート５０側の面（外面）に粘着剤層５４，５４を設けるようにしたものが存在する。
【０００４】
前記吸収性物品Ｎを下着３０に固定する際には、図１１に示されるように、吸収性物品Ｎのウイング状フラップＷが形成される中央部分を体液排出部にあてがい、側方に突出する前記ウイング状フラップＷ、Ｗを下着より取り出し、両ウイング状フラップＷ、Ｗを折返し線ＲＬ、ＲＬで折返し、下着のクロッチ部分を巻き込むようにしながら下着３０の股間部外面に接着するようにする。
【０００５】
この種の吸収性物品にも幾多の改良が重ねられ、横漏れを防止するための手段が種々講じられている。例えば、下記特許文献１では、液体を吸収する吸収体を有する本体部と、前記本体部から前記本体部の幅方向外側に突出し、着用者の下着の非肌当接面に折り返されるウイング部と、弾性部材を用いないシート状部材により形成され、前記本体部の幅方向外側に突出するフラップ部とを備え、前記フラップ部は、前記縦方向において前記ウイング部と対応する部分に設けられる幅狭部分と、前記縦方向における前記ウイング部の両端部の外側にそれぞれ設けられ、前記幅方向における前記幅狭部分の外縁よりも幅方向外側に突出した幅広部分とを有し、前記幅方向における前記幅狭部分の外縁は、前記ウイング部が折り返されるときの折り返し線の位置よりも幅方向外側に位置するとともに、前記ウイング部の外縁よりも幅方向内側に位置する吸収性物品が開示されている。
【０００６】
また、下記特許文献２では、透液性表面シートと裏面シートとの間に吸収体が介在された本体部分の両側部に、左右一対で配置されたウイング状フラップが、本体部分の長手方向に沿って少なくとも３組以上配置されるとともに、これらウイング状フラップの内、少なくとも最後部に位置する左右一対のウイング状フラップには吸収体が介在されたヒップホールド用ウイング状フラップとされ、使用前の製品状態で、前記ウイング状フラップのすべてが裏面シート側に折り畳まれている吸収性物品が開示されている。
【先行技術文献】
【特許文献】
【０００７】
【特許文献１】特開２０１１−１５６２３９号公報
【特許文献２】特開２００９−２３２９５０号公報
【発明の概要】
【発明が解決しようとする課題】
【０００８】
しかしながら、上記特許文献１記載の吸収性物品では、体液排出部近傍の最も横漏れが生じやすい部分のフラップ部が幅狭に形成されているので、吸収体で吸収保持しきれなかった体液が更に外側のフラップ部にまで浸出したときに、下着やアウター（ズボンやスカートなど）が汚れやすいなどの問題があった。
【０００９】
また、上記特許文献２記載の吸収性物品では、種々の使用条件に合わせて下着への固定位置などを任意に設定できるようにしているが、ウイング状フラップが本体部分の両側部から延在して形成されているため、下着のクロッチ部分に折り返して使用したウイング状フラップで肌との間に隙間ができやすく、漏れが生じやすくなる。
【００１０】
そこで本発明の主たる課題は、体液漏れが生じ難く、下着やアウターが汚れるのを防止した吸収性物品を提供することにある。
【課題を解決するための手段】
【００１１】
上記課題を解決するために請求項１に係る本発明として、透液性表面シートと裏面シートとの間に吸収体が介在された本体部分の両側部にそれぞれ、相対的に非肌側に位置する下層フラップと、相対的に肌側に位置する上層フラップとからなる二重のフラップが形成された吸収性物品であって、
前記下層フラップは、少なくとも、装着時に下着のクロッチ部分を巻き込むようにして固定されるウイング状フラップを含むとともに、前記上層フラップは、少なくとも、前記ウイング状フラップと重なる領域に、装着時に脚の付け根部分を覆うように配置される脚周り用フラップを含み、
前記脚周り用フラップは、側端が前記ウイング状フラップの側端より外側に位置するとともに、吸収性物品の略幅方向に沿う切り込み線によって長手方向に複数に分割されていることを特徴とする吸収性物品が提供される。
【００１２】
上記請求項１記載の発明では、本体部分の両側部にそれぞれ、役割の異なる下層フラップと上層フラップとからなる二重のフラップを設けている。前記下層フラップは、主に装着時に吸収性物品を下着に固定する役割を有するもので、少なくとも、装着時に下着のクロッチ部分を巻き込むようにして固定されるウイング状フラップを含んでいる。前記上層フラップは、吸収体より外側に体液が流れたときに、下着やアウターに体液が付着して衣服が汚れるのを防止するためのもので、少なくとも、前記ウイング状フラップと重なる領域に、装着時に脚の付け根部分を覆うように配置される脚回り用フラップを含んでいる。
【００１３】
そして、前記脚周り用フラップは、側端が前記ウイング状フラップの側端より外側に位置している。すなわち、前記脚周り用フラップはウイング状フラップより幅広に形成されている。このため、装着時に、下層側のウイング状フラップを下着のクロッチ部分を巻き込むようにして固定した状態では、上層側の脚周り用フラップが下着からはみ出て、アウターと肌との間に脚周り用フラップが介在するようになる。このとき、前記脚周り用フラップは、吸収性物品の略幅方向に沿う切り込み線によって長手方向に複数に分割されているため、脚周りに沿ってフィットしやすくなり、脚周りの広い範囲が前記脚周り用フラップによって覆われるので、吸収体より外側に浸出した体液の漏れが防止できるとともに、下着やアウターに体液が付着して汚れるのが防止できるようになる。
【００１４】
請求項２に係る本発明として、前記上層フラップの非肌側面に、装着時に衣服に固定するための粘着剤層が設けられている請求項１記載の吸収性物品が提供される。
【００１５】
上記請求項２記載の発明では、前記上層フラップの非肌側面に、装着時に衣服に固定するための粘着剤層を設けることによって、装着中の上層フラップのズレが防止できるようになる。
【００１６】
請求項３に係る本発明として、前記上層フラップは、個装状態で、前記透液性表面シート側に折り畳まれ、各粘着剤層を覆うとともに、左右の粘着剤層間に跨る剥離紙によって連結した状態で封入されている請求項２記載の吸収性物品が提供される。
【００１７】
上記請求項３記載の発明では、個装時の上層フラップの折り畳み状態などについて規定している。具体的に前記上層フラップは、個装状態で、前記透液性表面シート側に所謂腹折りされ、前記上層フラップの非肌側面に設けられた粘着剤層が表面側に露出した状態で、各粘着剤層を覆うとともに、左右の粘着剤層間に跨る剥離紙によって連結した状態で封入されている。このため、上層フラップに粘着剤層を設けた場合でも、コンパクトに個装でき、持ち運びが便利になる。
【００１８】
請求項４に係る本発明として、前記上層フラップの前記切り込み線と重ならない位置に、吸収性物品の長手方向に沿って連続する弾性伸縮部材が配設されている請求項１〜３いずれかに記載の吸収性物品が提供される。
【００１９】
上記請求項４記載の発明では、前記上層フラップに、吸収性物品の長手方向に沿って弾性伸縮部材を配設して伸縮性を持たせることによって、上層フラップを脚周りにフィットさせやすくしている。このとき、弾性伸縮部材が前記切り込み線によって分断されると却って上層フラップのヨレが発生するようになるので、前記弾性伸縮部材は、前記切り込み線によって分断されないように、切り込み線と重ならない位置に長手方向に連続して配設している。
【００２０】
請求項５に係る本発明として、前記下層フラップは、前記ウイング状フラップより後側であって、装着時に下着の臀部内面側に固定されるヒップホールド用フラップを含み、
前記上層フラップは、前記ヒップホールド用フラップと重なる領域に、装着時に臀部周りを覆うように配置されるヒップ周り用フラップを含んでいる請求項１〜４いずれかに記載の吸収性物品が提供される。
【００２１】
上記請求項５記載の発明では、下層フラップと上層フラップの臀部側にもそれぞれ臀部を覆うフラップを設けている。具体的に前記下層フラップは、装着時に下着の臀部内面側に固定されるヒップホールド用フラップを含み、前記上層フラップは、前記ヒップホールド用フラップと重なる領域に、装着時に臀部周りを覆うように配置されるヒップ周り用フラップを含んでいる。これによって、臀部側のヨレやズレが防止できるとともに、臀部周りからの漏れによって下着やアウターが汚れるのが防止できる。
【００２２】
請求項６に係る本発明として、前記ヒップ周り用フラップとヒップホールド用フラップとの重なり部分において、両者が互いに接合されている請求項５記載の吸収性物品が提供される。
【００２３】
上記請求項６記載の発明では、下層フラップと上層フラップの臀部側にそれぞれフラップを設けた場合において、前記ヒップ周り用フラップとヒップホールド用フラップとの重なり部分で両者を互いに接合するようにしている。これによって、この接合部分では剛性が増し、ズレやヨレが防止できるようになる。
【００２４】
請求項７に係る本発明として、前記ヒップ周り用フラップは、前記ヒップホールド用フラップより幅方向外側に延出するとともに、この延出した部分の形状が幅方向外側に向けて漸次幅狭となるように形成されている請求項５、６いずれかに記載の吸収性物品が提供される。
【００２５】
上記請求項７記載の発明では、下層フラップと上層フラップの臀部側にそれぞれフラップを設けた場合において、ヒップ周り用フラップをヒップホールド用フラップより幅方向外側に延出させるとともに、この延出した部分の形状が幅方向外側に向けて漸次幅狭となるように形成することによって、ヒップ周り用フラップの延出した部分がショーツに沿いやすくなり、この部分がヨレたり皺になりにくく漏れが防止できるようになる。
【００２６】
請求項８に係る本発明として、前記切り込み線は、吸収性物品の長手方向に離間して２箇所以上設けられている請求項１〜７いずれかに記載の吸収性物品が提供される。
【００２７】
上記請求項８記載の発明では、脚周り用フラップの脚周りへのフィット性を考慮して、前記切り込み線を吸収性物品の長手方向に離間して２箇所以上設けることによって、脚周り用フラップを長手方向に少なくとも３つに分割している。
【００２８】
請求項９に係る本発明として、前記上層フラップは、吸収性物品の長手方向に伸縮可能な伸縮性シートによって形成されている請求項１〜８いずれかに記載の吸収性物品が提供される。
【００２９】
上記請求項９記載の発明では、上層フラップを、吸収性物品の長手方向に伸縮可能な伸縮性シートで形成することによって、装着時に上層フラップがヨレたり皺になったりするのが防止でき、脚周りへのフィット性が向上できる。
【００３０】
請求項１０に係る本発明として、前記裏面シートは、前記本体部分から前記上層フラップの幅方向端部にかけて連続的に配置されるか、前記本体部分及び前記下層フラップの非肌側面にのみ配置されている請求項１〜９いずれかに記載の吸収性物品が提供される。
【００３１】
上記請求項１０記載の発明では、前記裏面シートの配設範囲について規定している。裏面シートは、本体部分から両側の上層フラップの幅方向端部にかけて連続的に配置してもよいし、資材の削減やムレ防止などの点から、前記本体部分及び前記下層フラップの非肌側面にのみ配置してもよい。
【００３２】
請求項１１に係る本発明として、前記吸収性物品は、前記本体部分の両側部にそれぞれ、前記裏面シートと表面材との二重シートを形成するとともに、前記二重シートを幅方向中間部の長手方向に沿う折り線で幅方向に折り畳んで前記二重シート同士の積層部分を形成し、この二重シート同士の積層部分で前記下層フラップを形成した後、これより先端部分の前記二重シートで前記上層フラップを形成している請求項１〜１０いずれかに記載の吸収性物品が提供される。
【００３３】
上記請求項１１記載の発明では、前記下層フラップと上層フラップの形成要領の一例について規定してあり、下層フラップと上層フラップを連続する二重シート材の折り畳みによって形成するようにしている。
【発明の効果】
【００３４】
以上詳説のとおり本発明によれば、体液漏れが生じ難く、下着やアウターが汚れるのを防止した吸収性物品が提供できるようになる。
【図面の簡単な説明】
【００３５】
【図１】本発明に係る生理用ナプキン１の一部破断展開図である。
【図２】そのII−II線矢視図である。
【図３】装着状態を示す断面図である。
【図４】他の形態例に係る生理用ナプキン１の裏面図である。
【図５】個装要領を示す平面図である。
【図６】他の形態例に係る生理用ナプキン１の展開図である。
【図７】生理用ナプキン１の製造要領を示す平面図である。
【図８】他の形態例に係る生理用ナプキン１の断面図である。
【図９】従来の生理用ナプキンＮを示す展開図である。
【図１０】従来の生理用ナプキンＮを示す断面図である。
【図１１】ナプキンの装着状態を示す斜視図である。
【発明を実施するための形態】
【００３６】
以下、本発明の実施の形態について図面を参照しながら詳述する。
【００３７】
〔生理用ナプキン１の基本構造〕
本生理用ナプキン１は、図１及び図２に示されるように、ポリエチレンシートなどからなる不透液性裏面シート２と、経血やおりものなどを速やかに透過させる透液性表面シート３と、これら両シート２，３間に介装された綿状パルプまたは合成パルプなどからなる吸収体４と、この吸収体４の形状保持および拡散性向上のために前記吸収体４を囲繞するクレープ紙５と、少なくとも体液排出部位を含むように前後方向に所定の区間内において表面側に突出して設けられた左右一対の立体ギャザーＢＳ、ＢＳとから主に構成され、またその両側縁部では吸収体４よりも側方に延出している前記不透液性バックシート２と、前記立体ギャザーＢＳを形成しているサイド不織布７とがホットメルトなどの接着剤やヒートシール等の接着手段によって接合され、相対的に非肌側に位置する下層フラップＦ１と、相対的に肌側に位置する上層フラップＦ２とからなる二重のフラップが形成されている。
【００３８】
以下、さらに前記生理用ナプキン１の構造について詳述すると、
前記不透液性裏面シート２は、ポリエチレン等の少なくとも遮水性を有するシート材が用いられるが、本生理用ナプキン１では後段で詳述するように下層フラップＦ１と上層フラップＦ２とが重なる部分では多数のシートが積層されるので、ムレ防止の観点から透湿性を有するものを用いるのが望ましい。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。前記不透液性裏面シート２の非肌側（外面）には１または複数条の粘着剤層（図示せず）が形成され、身体への装着時に生理用ナプキン１を下着に固定するようになっている。前記不透液性裏面シート２としては、プラスチックフィルムと不織布とを積層させたポリラミ不織布を用いてもよい。
【００３９】
次いで、前記透液性表面シート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。前記透液性表面シート３に多数の透孔を形成した場合には、経血やおりもの等（以下、まとめて体液という。）が速やかに吸収されるようになり、ドライタッチ性に優れたものとなる。
【００４０】
前記不透液性裏面シート２と透液性表面シート３との間に介在される吸収体４は、たとえばフラッフ状パルプと吸水性ポリマーとにより構成されている。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。本例のように、吸収体４を囲繞するクレープ紙５を設ける場合には、結果的に透液性表面シート３と吸収体４との間にクレープ紙５が介在することになり、吸収性に優れる前記クレープ紙５によって体液を速やかに拡散させるとともに、これら経血等の逆戻りを防止するようになる。
【００４１】
前記透液性表面シート３の幅寸法は、図示例では、図２の横断面図に示されるように、吸収体４の幅よりも若干長めとされ、吸収体４を覆うだけに止まり、前記立体ギャザーＢＳ、ＢＳは前記透液性表面シート３とは別のサイド不織布７によって形成されている。前記サイド不織布７は、経血やおりもの等が浸透するのを防止する、あるいは肌触り感を高めるなどの目的に応じて、適宜の撥水処理または親水処理を施した不織布素材を用いて構成されている。かかる不織布７としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。また、前記サイド不織布７としては、装着時に脚周りに当たるので、ＳＭＭＳのようなごわついたものよりも、エアスルー不織布のような肌ざわりの柔らかいものを用いるのがよい。
【００４２】
前記サイド不織布７は、図２に示されるように、不透液性裏面シート２の外縁までの範囲に亘ってホットメルトなどの接着剤によって接着し、これら前記サイド不織布７と不透液性裏面シート２との積層シート部分により、前記下層フラップＦ１及び上層フラップＦ２を形成している。
【００４３】
前記サイド不織布７の内方側は二重に折り返され、この二重シート内部の所定位置に、その高さ方向中間部に両端または長手方向の適宜の位置が固定された複数条の、図示例では２条の糸状弾性伸縮部材８、８が配設され、体液排出部位を含む所定の長手方向範囲において、図２に示されるように、左右一対の立体ギャザーＢＳを形成するようになっている。前記立体ギャザーＢＳは、図２に示される例では、外側に１回折り返された直線状に形成されているが、複数回折り返したＺ形のものなど公知の形態のものを採用することが可能である。
【００４４】
〔フラップについて〕
本生理用ナプキン１では、前記吸収体４が介在された本体部分の両側部にそれぞれ、異なる役割を有する下層フラップＦ１と上層フラップＦ２とが形成されている。前記下層フラップＦ１は、主に生理用ナプキン１を下着に固定するためのものであり、前記上層フラップＦ２は、主に側方に流れ出た体液が下着や衣服を汚すのを防止するためのものである。
【００４５】
前記下層フラップＦ１は、図１に示されるように、ほぼ体液排出部Ｈに相当する吸収体側部位置に、装着時に下着のクロッチ部分を巻き込むようにして固定される左右一対のウイングフラップＷ、Ｗと、これより臀部側（後側）位置に、装着時に下着の臀部内面側に固定される左右一対のヒップホールド用フラップＷＢ、ＷＢとから構成されている。本生理用ナプキン１は、夜用ナプキンを対象とする後側に長く形成されるものであるので、前記ヒップホールド用フラップＷＢを有しているが、昼用ナプキンなどを対象とした股間部だけを覆うものに関しては、前記ヒップホールド用フラップＷＢがなくてもよい。
【００４６】
一方、前記上層フラップＦ２は、前記ウイング状フラップＷと重なる領域に、装着時に脚の付け根部分を覆うように配置される左右一対の脚回り用フラップＸ１と、前記ヒップホールド用フラップＷＢと重なる領域に、装着時に臀部周りを覆うように配置される左右一対のヒップ周り用フラップＸＢとから構成されている。上記と同様に、昼用ナプキンなどの場合には前記ヒップ周り用フラップＸＢがなくてもよい。
【００４７】
前記脚周り用フラップＸは、側端が前記ウイング状フラップＷの側端より外側に位置している。すなわち、脚周り用フラップＸの方が、ウイング状フラップＷより幅広に形成されている。このため、図３に示されるように、装着状態で、ウイング状フラップＷを下着のクロッチ部分を巻き込むようにして固定した場合、脚周り用フラップＸは下着のクロッチ部分の両側からはみ出て、アウター（ズボンなど）と肌との間に介在するようになる。従って、下着の側縁より外側の脚周りの広い範囲が脚周り用フラップＸによって覆われるため、吸収体４より外側に浸出した体液の漏れが防止できるとともに、下着やアウターに体液が付着して汚れるのが防止できるようになる。
【００４８】
このとき、前記脚周り用フラップＸは、生理用ナプキン１の略幅方向に沿う１又は複数の、図示例ではナプキン長手方向に離間する２本の切り込み線９、９によって、ナプキン長手方向に対して複数に、図示例では３つに分割されている。このため、下着のクロッチ部分の両側からはみ出た脚周り用フラップＸが脚周りに沿って折り曲げられたとき、脚周り用フラップＸの各分割部分が脚周りにフィットし、ヨレが防止できるとともに、脚の動きに対する追従性も良好となる。
【００４９】
前記脚周り用フラップＸは、図１に示される例では、前記ウイング状フラップＷを含む生理用ナプキン１の前側領域の両側部にそれぞれ、外側に膨出するとともに前記ウイング状フラップＷと重なる領域に幅方向頂部を有する円弧状の外形線で形成され、直線状の切り込み線９が前記ウイング状フラップＷの前側及び後側に対応する位置にそれぞれ１本ずつ、前記円弧状の外形線と直交する方向に沿って形成されている。脚周り用フラップＸの外形線を円弧状に形成することによって、体液排出部の近傍に配置されるウイング状フラップＷ付近での漏れが確実に防止できるようになる。
【００５０】
前記脚周り用フラップＸは、ウイング状フラップＷの長手方向範囲より前後に広い領域に形成されている。これによって、体液排出部より前後方向の広い範囲の脚周りを覆うことができるようになる。また、脚周り用フラップＸの前側端部は、吸収体４の前側端部より前側に延出して設けられ、更に好ましくは図示例のようにナプキン幅方向中央部のナプキン前側端部より前側に延出して設けられている。これによって、脚周り用フラップＸの前側部分で股関節の前方部分の鼠蹊部まで覆うことができるので、前側での横漏れも防止できるようになる。
【００５１】
図４に示されるように、前記上層フラップＦ２の非肌側面に、装着時にアウターとの固定を図るための粘着剤層１０、１０…を設けることが好ましい。前記粘着剤層１０は、前記切り込み線９…によって分割された各領域に設けてもよいし、図５に示されるように、所定の１組又は２組以上の分割領域にだけ設けるようにしても良い。図５では、ウイング状フラップＷの中心部と重なる１組の分割領域にのみ粘着剤層１０が設けられている。
【００５２】
一方、前記下層フラップＦ１の非肌側面には、図４に示されるように、装着時に下着に固定するための粘着剤層１１、１１…が設けられている。前記粘着剤層１１は、ウイング状フラップＷ及びヒップホールド用フラップＷＢの各領域に１つずつ設けられている。
【００５３】
各フラップＦ１、Ｆ２に前記粘着剤層１０、１１が設けられた生理用ナプキン１を個装するに際しては、図５に示されるように、上層フラップＦ２を透液性表面シート３側に所謂腹折りして、上層フラップＦ２の粘着剤層１０…が表面側の左右に露出した状態とし、各粘着剤層１０、１０を剥離可能に覆うとともに、左右の粘着剤層１０、１０間に跨る剥離紙１２によって連結した状態とする。下層フラップＦ１は、両側に展開した状態で、包装シート１３の表面側に固着された剥離紙１４によって剥離可能に覆われている。この状態で、生理用ナプキン１は、前記包装シート１３及び剥離紙１４とともに、幅方向折り線Ｓ１、Ｓ２、Ｓ３にて長手方向に折り畳まれ、個装されている。なお、個装時の折り数に特に制限はない。また、図示例では、脚周り用フラップＸの１つの分割領域にのみ粘着剤層１０、１０が形成され、この粘着剤層１０、１０を覆う剥離紙１２が配設されているが、図４に示されるように、脚周り用フラップＸの複数の分割領域に粘着剤層１０が形成されるとともに、ヒップ周り用フラップＸＢにも粘着剤層１０が形成される生理用ナプキン１に対しては、左右の粘着剤層１０…を一体的に覆う縦長の剥離紙１２を用いることが好ましい。
【００５４】
本生理用ナプキン１においては、図６に示されるように、上層フラップＦ２の切り込み線９と重ならない位置に、ナプキン長手方向に沿って連続するとともに、両端または長手方向の適宜の位置が固定された１又は複数本の、図示例では１本の糸状弾性伸縮部材１５を配設することが好ましい。前記糸状弾性伸縮部材１５を配設して上層フラップＦ２に伸縮性を持たせることによって、装着時に上層フラップＦ２が脚周りにフィットしやすくなる。このとき、前記糸状弾性伸縮部材１５は、切り込み線９と重ならない位置に配設されている。すなわち、糸状弾性伸縮部材１５が切り込み線９によって分断されずにナプキン長手方向に連続して設けられている。このため、糸状弾性伸縮部材１５が分断されたときに却って各分割領域にヨレが発生してしまうのが防止できるようになる。糸状弾性伸縮部材１５の配設位置は、吸収体４の側縁から１０〜２０ｍｍ程度幅方向外側に離して設けることが好ましい。
【００５５】
次に、前記ヒップ周り用フラップＸＢは、下層側のヒップホールド用フラップＷＢより幅広に形成され、ヒップ周り用フラップＸＢの側端がヒップホールド用フラップＷＢの側端より外側に位置する大きさで形成されている。これらの重なり部分においては、両者を互いに接合しなくても構わないが、ホットメルト接着剤等によって両者を互いに接合することが好ましい。重なり部分で接合することによって、この接合した部分の剛性が増し、ズレやヨレが防止できる。また、下層側のヒップホールド用フラップＷＢが下着に固定されるのに対して上層側のヒップ周り用フラップＸＢが固定されていないと、ヒップ周り用フラップＸＢのズレやヨレが生じやすくなるので、このズレやヨレが防止できるようになる。
【００５６】
また、前述の通り、前記ヒップ周り用フラップＸＢを前記ヒップホールド用フラップＷＢより幅方向外側に延出して形成した場合において、この延出した部分の形状は、図１に示されるように、ナプキンの幅方向外側に向けて漸次幅狭となる三角形状に形成することが好ましい。この延出部分を三角形状に形成することによって、ナプキン後側が臀部の長手方向及び幅方向の丸みに沿って湾曲変形したとき、この延出部分に皺やヨレが生じ難く、肌にフィットしやすくなるとともに、種々の形状のショーツにも沿うようになり、ヒップ周り用フラップＸＢの先端をショーツからはみ出して装着することも可能となる。
【００５７】
ところで、前記脚周り用フラップＸに形成される前記切り込み線９は、図１に示されるように、上層フラップＦ２の側端から幅方向内側に向けてナプキン１の略幅方向に沿うとともに、所定の切り込み深さで設けられている。前記切り込み線９は、脚周り用フラップＸの円弧状の外形線とほぼ直交する方向に形成されている。また、前記切り込み線９は、上層フラップＦ２の側端から下層フラップＦ１の外形線に対応する位置まで形成されている。これにより、装着時にウイング状フラップＷを折返し線ＲＬで折り返したとき、ほぼショーツの外縁付近から切り込み線９が開始するようになるため、脚周りへのフィット性が良好となる。
【００５８】
前記切り込み線９は、ナプキン長手方向に離間して２箇所以上設けることが好ましく、図示例では下層側のウイング状フラップＷと重ならない位置であって、ウイング状フラップＷの前側及び後側に各１本ずつ設けられている。ウイング状フラップＷは体液排出部Ｈはその近傍に設けられることが多いので、特に体液の横漏れが発生しやすい部分であり、このような領域で前記切り込み線９によって脚周り用フラップＸが分断されるのは好ましくないためである。
【００５９】
前記切り込み線９によって分割された脚周り用フラップＸの各分割領域の長さは、図１に示されるように、脚周り用フラップＸの外形線に沿った長さＬが５０〜８０ｍｍ程度となるように切り込み線９の位置を決定することが好ましい。各分割領域の長さが５０ｍｍより小さいと、分割領域がずれて丸まってしまい、８０ｍｍより大きいと脚周りにフィットしにくくヨレや皺が生じやすい。
【００６０】
なお、前側の脚周り用フラップＸと後側のヒップ周り用フラップＸＢとの間は、図１に示される例では、ヒップ周り用フラップＸＢの外形線から延長する方向であって、かつ脚周り用フラップＸの外形線にほぼ直交する方向に延びる切り込み線１６によって分割されているが、適当な間隔をあけて離間するように形成してもよい。
【００６１】
前記サイド不織布７として、生理用ナプキン１の長手方向に伸縮可能な伸縮性シートを用いることによって、少なくとも上層フラップＦ２をナプキン長手方向に伸縮可能に形成してもよい。上層フラップＦ２に伸縮性を持たせることによって、前記糸状弾性伸縮部材１５を配設したときと同様に、脚周りにフィットしやすくなる。
【００６２】
以上の構成からなる生理用ナプキン１を製造するに当たっては、図７に示されるように、本体部分の両側部にそれぞれ、前記不透液性裏面シート２とサイド不織布７との二重シートを形成するとともに、この二重シートを幅方向中間部の長手方向に沿った折り線Ｍ１で前記不透液性裏面シート２が外面側となるように幅方向に谷折りして二重シート同士の積層部分を形成し、この二重シート同士の積層部分を前記下層フラップＦ１の外形線で裁断して前記下層フラップＦ１を形成した後、これより先端の二重シートを前記上層フラップＦ２の外形線で裁断して前記上層フラップＦ２を形成し、しかる後、脚周り用フラップＸ部分に前記切り込み線９を設ける方法とすることが好ましい。これにより、不透液性裏面シート２とサイド不織布７との二重シートを幅方向に延在させた１組のシートの折り返しによって下層フラップＦ１と上層フラップＦ２とを製造できるので、製造が容易になる。
【００６３】
ここで、前記不透液性裏面シート２の資材節減及び通気性の悪化によるムレ防止のため、図８に示されるように、前記不透液性裏面シート２を下層フラップＦ１の先端までとし、それより端部側の上層フラップＦ２を、前記サイド不織布７の一重シート又はサイド不織布７を先端で折り返した二重シートによって構成してもよい。
【００６４】
なお、前記下層フラップＦ１及び上層フラップＦ２は、一方のフラップを別体で形成し、本体部分の両側部に連続して形成した他方のフラップに接合することによって構成してもよい。
【符号の説明】
【００６５】
１…生理用ナプキン、２…不透液性裏面シート、３…透液性表面シート、４…吸収体、５…クレープ紙、７…サイド不織布、９…切り込み線、１０…粘着剤層、１１…粘着剤層、１２…剥離紙、１５…糸状弾性伸縮部材
【図１】
2015024067.tif 000003
【図２】
2015024067.tif 000004
【図３】
2015024067.tif 000005
【図４】
2015024067.tif 000006
【図５】
2015024067.tif 000007
【図６】
2015024067.tif 000008
【図７】
2015024067.tif 000009
【図８】
2015024067.tif 000010
【図９】
2015024067.tif 000011
【図１０】
2015024067.tif 000012
【図１１】
2015024067.tif 000013